(57)【特許請求の範囲】
【請求項１】
ＩＧＢＴであり、
半導体基板と、前記半導体基板の表面に形成されているエミッタ電極と、前記半導体基板の裏面に形成されているコレクタ電極を備えており、
前記半導体基板が、
前記半導体基板の表面に臨んでいるエミッタ領域と、
前記半導体基板の裏面に臨んでいるコレクタ領域と、
前記エミッタ領域に接するとともに前記エミッタ領域より深部に達しているボディ領域と、
前記ボディ領域と前記コレクタ領域を分離しているドリフト領域と、
前記半導体基板の表面に臨んでいるボディコンタクト領域、
を備えており、
前記半導体基板に、
前記半導体基板の表面から前記ドリフト領域に達しているトレンチと、
前記トレンチの壁を覆っているゲート絶縁膜と、
前記トレンチの内部を充填しているトレンチゲート電極
が形成されており、
前記トレンチゲート電極が前記ゲート絶縁膜を介して前記エミッタ領域と前記ボディ領域と前記ドリフト領域の順に対向しており、
前記エミッタ領域と前記ボディコンタクト領域が前記エミッタ電極に導通しており、
前記トレンチゲート電極が前記エミッタ電極から絶縁されており、
前記コレクタ領域が前記コレクタ電極に導通しており、
前記半導体基板を平面視したときに前記トレンチゲート電極が屈曲しており、
前記トレンチゲート電極の屈曲部の内側に位置するととともに前記半導体基板の表面に臨む位置に、前記エミッタ領域と同一導電型の内側半導体領域が形成されており、
前記内側半導体領域が前記エミッタ電極と導通していないことを特徴とするＩＧＢＴ。  
【請求項２】
前記内側半導体領域と前記エミッタ領域が同一組成であることを特徴とする請求項１に記載のＩＧＢＴ。
【請求項３】
前記内側半導体領域の表面と前記トレンチゲート電極の表面を覆う層間絶縁膜が形成されており、
前記層間絶縁膜によって、前記内側半導体領域と前記エミッタ電極が絶縁されており、前記トレンチゲート電極と前記エミッタ電極が絶縁されていることを特徴とする請求項１に記載のＩＧＢＴ。
【請求項４】
前記半導体基板を平面視したときに前記トレンチゲート電極がＴ字形状が連なるパターンを提供することを特徴とする請求項１に記載の半導体装置。
【請求項５】
前記半導体基板を平面視したときに前記ボディコンタクト領域が前記ボディ領域によって前記内側半導体領域から分離していることを特徴とする請求項１に記載の半導体装置。
【請求項６】
前記半導体基板を平面視したときに前記ボディコンタクト領域が前記ボディ領域によって前記ゲート絶縁膜から分離していることを特徴とする請求項１に記載の半導体装置。
【発明の詳細な説明】
【技術分野】
【０００１】
本明細書では、トレンチゲート電極を利用するＩＧＢＴに関する技術を開示する。【０００２】
特許文献１に、半導体基板を平面視したときに、トレンチゲート電極が屈曲しているＩＧＢＴが開示されている。トレンチゲート電極が直線上を延びている場合に比して、トレンチゲート電極が屈曲していると、屈曲部の内側に位置するドリフト領域における正孔密度が増大し、電導度変調現象が活発化し、ＩＧＢＴのオン電圧が低下する。なお特許文献１は本出願の出願時点では公開されていない。  【０００３】
ＩＧＢＴの場合、オン電圧が低いだけでなく、トレンチゲート電極の電圧をオフ電圧に切り替えた時にエミッタとコレクタ間がオフする必要がある。本明細書では、トレンチゲート電極の電圧をオフ電圧に切り替えた後もエミッタとコレクタ間に電流が流れる続ける現象をラッチアップという。ＩＧＢＴではラッチアップが生じないようにする必要がある。
【先行技術文献】
【特許文献】
【０００４】
【特許文献１】特願２０１１−０５２１００号に添付されている明細書と図面
【発明の概要】
【発明が解決しようとする課題】
【０００５】
ＩＧＢＴにラッチアップが生じないようにするために、飽和電流を抑制し、ターンオフ時に正孔がエミッタ電極に抜けやすくする設計が採用されている。上記したトレンチゲート電極、すなわち屈曲したトレンチゲート電極を利用すると、電流密度が上昇し、ラッチアップ現象が生じやすくなる。屈曲したトレンチゲート電極を利用してオン電圧を低下させる技術を実用化するためには、ラッチアップを防止する新たな技術が必要とされる。すなわち、ターンオフ時に正孔がエミッタ電極に抜けやすくする新たな技術が必要とされる。【０００６】
本明細書では、屈曲したトレンチゲート電極を利用するＩＧＢＴにおいて、ターンオフ時に正孔がエミッタ電極に抜けやすくなる構造を開示し、もってラッチアップの発生を防止する技術を開示する。この技術によって、ラッチアップの発生を防止しながらトレンチゲート電極を屈曲させることが可能となり、ＩＧＢＴのオン電圧を低減することができる。
【課題を解決するための手段】
【０００７】
本明細書で開示するＩＧＢＴでは、半導体基板の表面を平面視したときにトレンチゲート電極が屈曲している。トレンチゲート電極の屈曲部の内側に位置するととともに半導体基板の表面に臨む位置に、エミッタ領域と同一導電型（従ってベースないしボディ領域とは反対導電型）の半導体領域（以下では内側半導体領域という）が形成されており、その内側半導体領域をフローティング状態とする。すなわち、内側半導体領域は、エミッタ電極ともトレンチゲート電極ともコレクタ電極とも導通していない。【０００８】
ＩＧＢＴのトレンチゲート電極の電圧をオフ電圧に切り替えた場合、ドリフトないしバルク領域（以下ではドリフト領域という）に蓄積されていた正孔は、トレンチゲート電極に沿ってボディないしベース領域（以下ではボディ領域という）を移動し、ボディコンタクト領域からエミッタ電極に抜ける。ボディ領域は、トレンチゲート電極にオン電圧を印加したときに反転層が形成する不純物濃度である必要があることから、不純物濃度が低く、正孔が移動しづらい（以下ではボディ領域をボディコンタクト領域から区別するために、ボディ領域のことを低濃度ボディ領域ということがある。両者は同一である）。【０００９】
前記したフローティング状態にある内側半導体領域を用意しないと、ターンオフ時に正孔が高抵抗な低濃度ボディ領域を移動する距離が長くなり、正孔がエミッタ電極に抜けにくい。それに対して、内側半導体領域を用意し、その内側半導体領域をフローティング状態に置いておくと、ターンオフ時に正孔が低濃度ボディ領域を移動する距離が短くなり、正孔がエミッタ電極に抜けやすくなる。この構造を採用すると、トレンチゲート電極を屈曲させて導通時の電流密度を上昇させるのと同時にラッチアップ現象の発生を防止することが可能となる。【００１０】
内側半導体領域とエミッタ領域は、同一組成であることが好ましい。エミッタ領域形成工程で内側半導体領域を形成することが可能となる。【００１１】
トレンチゲート電極の上面を覆う層間絶縁膜を形成し、その層間絶縁膜でトレンチゲート電極とエミッタ電極を絶縁する構造が知られている。その層間絶縁膜を、内側半導体領域の表面にまで伸ばすことが好ましい。その層間絶縁膜によって内側半導体領域とエミッタ電極が絶縁される。製造工程数を増加させないで、内側半導体領域をフローティング状態におくことができる。【００１２】
オン電圧を低下させるには、トレンチゲート電極が複数の位置で屈曲していることが有利である。そのためには、Ｔ字形状が連なるパターンに沿ってトレンチゲート電極を形成することが好ましい。屈曲部を半導体基板の広い範囲に一様に分布させることができる。【００１３】
半導体基板を平面視したときにボディコンタクト領域がボディ領域によって内側半導体領域から分離していてもよく、ボディコンタクト領域がボディ領域によってゲート絶縁膜から分離していてもよい。ＩＧＢＴの場合、エミッタ領域とトレンチゲート電極がゲート絶縁膜を介して対向している必要がある。またエミッタ領域とトレンチゲート電極には、不純物を注入して抵抗をさげる必要がある。隣接する２領域に異なる導電型の不純物を注入すると、不純物注入範囲のばらつきによって実効的な不純物濃度がばらつくことになり、半導体装置を量産したときに半導体装置群の性能がばらつく原因となる。エミッタ領域とトレンチゲート電極には同一導電側の不純物を注入することが好ましい。この結果、トレンチゲート電極の導電型とボディコンタクト領域の導電側は反対となる。トレンチゲート電極にゲート絶縁膜を介して対向する位置にボディコンタクト領域を設けることができれば、ターンオフ時の正孔の抜けが改善され、ラッチアップ現象の発生を抑制することができる。しかしそのためには、隣接する２領域に異なる導電型の不純物を注入する必要が生じ、半導体装置を量産したときに性能がばらつく原因となる。半導体基板を平面視したときにボディコンタクト領域がボディ領域によって内側半導体領域から分離している構造、あるいは、ボディコンタクト領域がボディ領域によってゲート絶縁膜から分離している構造であれば、隣接する２領域に異なる導電型の不純物を注入する必要がない。ボディコンタクト領域がボディ領域によってゲート絶縁膜から分離している構造に対して内側半導体領域を付加する技術によると、オン電圧が低くてラッチアップが発生しづらいとともに、性能のばらつきが抑制された半導体装置群を量産することができる。
【図面の簡単な説明】
【００１４】
【図１】第１実施例のＩＧＢＴの半導体基板を平面視した図。範囲Ｘは、エミッタ電極と層間絶縁膜を除去した平面図を示し、範囲Ｙは、エミッタ電極を除去した平面図を示す。
【図２】（１）は図1のII-II線の断面図。（２）は既存のＩＧＢＴの断面図。
【図３】第２実施例のＩＧＢＴの半導体基板を平面視した図。
【図４】図３のIV-IV線の断面図。
【図５】第３実施例のＩＧＢＴの半導体基板を平面視した図。
【図６】屈曲したトレンチゲート電極のパターン１を例示する図。
【図７】屈曲したトレンチゲート電極のパターン２を例示する図。
【図８】屈曲したトレンチゲート電極のパターン３を例示する図。
【図９】屈曲したトレンチゲート電極のパターン４を例示する図。
【図１０】屈曲したトレンチゲート電極のパターン５を例示する図。
【図１１】屈曲したトレンチゲート電極のパターン６を例示する図。
【図１２】屈曲したトレンチゲート電極のパターン７を例示する図。
【図１３】屈曲したトレンチゲート電極のパターン８を例示する図。
【図１４】屈曲したトレンチゲート電極のパターン９を例示する図。
【発明を実施するための形態】
【００１５】
（第１実施例）  
図1は、第１実施例のＩＧＢＴ３０の半導体基板２を平面視した図であり、図２の（１）は、図1のII-II線の断面図である。図１において、範囲Ｘはエミッタ電極と層間絶縁膜を除去した平面図を示し、範囲Ｙはエミッタ電極を除去した平面図を示す。図３と図５でも同様である。ＩＧＢＴ３０は、半導体基板２と、半導体基板２の表面２ａに形成されているエミッタ電極２４と、半導体基板２の裏面２ｂに形成されているコレクタ電極２６を備えている。エミッタ電極２４とコレクタ電極２６は、金属で形成されている。
半導体基板２には、下記の領域が形成されている。
エミッタ領域１０：半導体基板２の表面２ａの一部範囲に臨む位置に形成されている。ｎ型不純物が高濃度にドープされており、エミッタ電極２４とオーミック接触する。
ボディコンタクト領域８：半導体基板２の表面２ａの一部の範囲に臨む位置に形成されている。ｐ型不純物が高濃度にドープされており、エミッタ電極２４とオーミック接触する。ベースコンタクト領域と称されることもあるが、本明細書ではボディコンタクト領域という。エミッタ領域１０が半導体基板２の表面２ａに臨む範囲と、ボディコンタクト領域８が半導体基板２の表面２ａに臨む範囲は、異なっている。
内側半導体領域６：エミッタ領域１０と同一組成で同一深さに形成されている。図１に示すように、後記するトレンチゲート電極１８の屈曲部の内側に位置するととともに、半導体基板２の表面２ａの一部範囲に臨む位置に形成されている。
ボディ領域１２：エミッタ領域１０とボディコンタクト領域８と内側半導体領域６に接するとともに、それらの領域１０，８，６よりも深部に達している。ｐ型不純物が低濃度にドープされている。ベース領域と称されることもあるが、本明細書ではボディ領域という。エミッタ領域１０とボディコンタクト領域８と内側半導体領域６が形成されていない範囲では、ボディ領域１２が半導体基板２の表面２ａに臨んでいる。
ドリフト領域２０：ボディ領域１２と後記するコレクタ領域２２を分離している。ｎ型不純物が低濃度にドープされている半導体基板２が、加工されないままに残っている領域であり、バルク領域と称されることもある。本明細書ではドリフト領域という。
コレクタ領域２２：半導体基板２の裏面２ｂに臨む位置に形成されている。ｐ型不純物が高濃度にドープされており、コレクタ電極２６とオーミック接触する。
【００１６】
半導体基板２の表面２ａから深さ方向に延びるトレンチ１４が形成されている。トレンチ１４は、表面２ａからボディ領域１２を貫通してドリフト領域２０に達している。トレンチ１４は、半導体基板２を平面視したときに、単位となるＴ字形状（トレンチ部分１４ａ，１４ｂ，１４ｃ参照）を、Ｘ方向にもＹ方向にも連ねたパターンで形成されている。例えば、トレンチ部分１４ａ，１４ｃを観察すると、トレンチ１４は屈曲している。参照番号３２に示す位置は、屈曲部の内側に位置しているということができる。同様に、参照番号３４に示す位置は、トレンチ部分１４ｂ，１４ｃ間の屈曲部の内側に位置しており、参照番号３６に示す位置は、トレンチ部分１４ｄ，１４ｃ間の屈曲部の内側に位置しており、参照番号３８に示す位置は、トレンチ部分１４ｅ，１４ｃ間の屈曲部の内側に位置しているということができる。トレンチ部分１４ｂ，１４ｃ，１４ｅ，１４ｆによって長方形の範囲が形成されている。ＩＧＢＴ３０は、各長方形の範囲を単位にして構成されているということもできる。各長方形の範囲を本明細書ではセルという。セルは４つの頂点を待ち、各頂点に内側半導体領域６が形成されている。
【００１７】
トレンチ１４の側壁と底面（総称して壁面という）は、ゲート絶縁膜１６で被覆されている。その内側に、トレンチゲート電極１８が充填されている。ゲート絶縁膜１６は酸化シリコンで形成されており、トレンチゲート電極１８は不純物をドープしたポリシリコンで形成されている。
【００１８】
図１の参照番号１０ａで示す位置では、エミッタ領域１０がゲート絶縁膜１６を介してトレンチゲート電極１８に向かい合っている。位置１０ａにあるエミッタ領域１０とドリフト領域２０を深さ方向において分離しているボディ領域１２も、ゲート絶縁膜１６を介してトレンチゲート電極１８に向かい合っている。エミッタ領域１０はｎ型であり、ボディ領域１２はｐ型であり、ドリフト領域２０はｎ型であり、通常時は、エミッタ領域１０とドリフト領域２０は導通しない。しかし、トレンチゲート電極１８に正の電圧を印加すると、ゲート絶縁膜１６を介してトレンチゲート電極１８に向かい合っている範囲のボディ領域１２がｎ型に反転し、エミッタ領域１０とドリフト領域２０が導通する。
【００１９】
参照番号４は、トレンチゲート電極１８の上面を覆っている層間絶縁膜であり、トレンチゲート電極１８とエミッタ電極２４を絶縁している。層間絶縁膜４は、内側半導体領域６の上面も覆っており、内側半導体領域６とエミッタ電極２４を絶縁している。内側半導体領域６は、層間絶縁膜４によってエミッタ電極２４から絶縁されており、ゲート絶縁膜１６によってトレンチゲート電極１８から絶縁されており、ＩＧＢＴ３０のオフ時にはｐｎ接合によってコレクタ電極２６から絶縁されている。ＩＧＢＴ３０のオフの間、内側半導体領域６はフローティング状態にある。参照番号４ａは、層間絶縁膜４に形成されている開孔を示している。開孔４ａによって、エミッタ領域１０とボディコンタクト領域８はエミッタ電極２４に導通している。
仮想線で示す層４０は、ｎ型層であり、ｐ型のボディ領域１２に中間深さに形成されている。ｎ型層４０によって、ボディ領域１２は、上部領域と下部領域に二分されている。ｎ型層４０は省略可能である。
図１に示すように、トレンチゲート電極１４に隣接する位置には、エミッタ領域１０と内側半導体領域６が形成されている。これらはいずれもｎ型であり、不純物注入範囲がばらついても実効的不純物濃度に与える影響は小さい。ボディコンタクト領域８とトレンチゲート電極１４は、異なる導電型であるが、両者はボディ領域１２によって分離されており、隣接する２領域に異なる導電型の不純物を注入する必要はない。図１の構造は、隣接する２領域に異なる導電型の不純物を注入することなく製造することができる。トレンチゲート電極１４とボディ領域１２は隣接しているが、ボディ領域１２の不純物注入濃度は低く、反対導電型であるトレンチゲート電極１４とボディ領域１２が隣接していることが半導体装置の性能に大きな影響を与えることはない。
【００２０】
図２（１）の矢印Ａは、ターンオフ時の正孔の移動経路を示している。ｎ型の内側半導体領域６とｐ型のボディ領域１２の間にあるｎｐ障壁によって、正孔は内側半導体領域６を避ける経路を移動する。
図２（２）は、ｎ型の内側半導体領域６が形成されていない場合を示し、ターンオフ時には正孔が移動経路Ｂに沿って移動する。すなわち、正孔はゲート電極１８に沿って移動し、半導体基板２の表面２ａの近傍を表面２ａに沿って移動してボディコンタクト領域８に達する。
図２の（１）と（２）を比較すると明らかに、矢印Ａの距離は短く、矢印Ｂの距離は長い。すなわち、ｎ型の内側半導体領域６を形成しないと、不純物濃度が低くて抵抗が高いボディ領域１２を正孔が移動する距離が長いのに対し、ｎ型の内側半導体領域６を形成すると、ボディ領域１２を正孔が移動する距離が短くなる。ｎ型の内側半導体領域６を形成すると、ターンオフ時に正孔がボディコンタクト領域８に抜く易く、ラッチアップしづらくなる。
【００２１】
ＩＧＢＴ３０は、コンタクト電極２６を正電圧に接続し、エミッタ電極２４を接地して用いる。
トレンチゲート電極１８に正電圧をかけないと、ｎ型のエミッタ領域１０とｎ型のドリフト領域２０の間がｐ型のボディ領域１２で分離され、ＩＧＢＴ３０はオフされる。
トレンチゲート電極１８に正電圧をかけると、ｎ型のエミッタ領域１０とｎ型のドリフト領域２０を分離しているボディ領域１２のうち、ゲート絶縁膜１６を介してトレンチゲート電極１８に対向している範囲がｎ型に反転し、チャネルが形成される。その結果、電子がエミッタ電極２４からエミッタ領域１０とチャネルを介してドリフト領域２０に移動し、正孔がコレクタ電極２６からコレクタ領域２２を介してドリフト領域２０に移動する。ドリフト領域２０で電導度変調現象が発生し、ＩＧＢＴ３０が導通する。ＩＧＢＴ３０では、トレンチゲート電極１８が屈曲している。屈曲部の内側に位置するドリフト領域における正孔密度が上昇し、電導度変調現象が活発化する。トレンチゲート電極１８を屈曲させることで、ＩＧＢＴ３０のオン電圧が低下する。
【００２２】
ＩＧＢＴ３０を再びオフさせる際には、トレンチゲート電極１８に正電圧を印加するのをやめる。本明細書では、オンからオフ状態に変化させることをターンオフという。ＩＧＢＴは、サイリスタ構造を備えており、トレンチゲート電極に正電圧を印加するのをやめてもエミッタ電極とコレクタ電極の間を電流が流れ続けるラッチアップ現象が生じやすい。ＩＧＢＴ３０では、図２（１）（２）を参照して説明したように、ターンオフしたときに正孔がボディコンタクト領域８を経てエミッタ電極２４に抜く易く、ラッチアップしないように設計されている。
【００２３】
（第２実施例）
以下では第１実施例と相違する点のみを説明し、重複説明を省略する。第３実施例以下でも同じである。
図３に示すように、第２実施例では、ボディコンタクト領域８によってエミッタ領域１０が２つの領域１０ｂ、１０ｃに分離されている。その場合でも、内側半導体領域６を形成することでラッチアップの発生を防止できる。
【００２４】
（第３実施例）
図５に示すように、第３実施例では、ボディコンタクト領域８によってエミッタ領域１０が４つの領域１０ｄ，１０ｅ，１０ｆ，１０ｇに分離されている。本実施例では、トレンチゲート電極１８に対向してチャネルに電子を供給するエミッタ領域が４か所に形成されており、オン電圧が低い。一層にラッチアップしやすくなるが、その場合でも、内側半導体領域６を形成することでラッチアップの発生を防止することができる。
【００２５】
（屈曲するトレンチゲート電極の例示）
図６から図１４は、屈曲するトレンチゲート電極の例を示している。丸印で示す位置が、屈曲部の内側に位置する範囲を示している。丸印に示すコーナ部に内側半導体領域６を形成することでラッチアップの発生を防止することができる。図１３，１４の参照番号１８ａは、ダミートレンチである。ここでいうダミートレンチは、トレンチゲート電極１８と同じ構造を備えているものの、ゲート電圧調整回路に接続されておらず、フローティング状態にあるものをいう。図１３に示すように、ダミートレンチ１８ａの屈曲部の内側に位置する範囲にも内側半導体領域６を形成してもよい。あるいは、ダミートレンチ１８ａに対しては、内側半導体領域６を形成しなくてもよい。上記では、ボディ領域とコンタクト領域がｐ型の場合を説明したが、反対導電型であってもよい。
上記実施例では、エミッタ領域１０と内側半導体領域６が同一組成で同一深さに形成されている。エミッタ領域１０と内側半導体領域６を同時に形成することができる。また、トレンチゲート電極１８とエミッタ電極２２を絶縁する層間絶縁膜４が、内側半導体領域６とエミッタ電極２２を絶縁する。内側半導体領域６とエミッタ電極２２を絶縁する新たな絶縁層を追加する必要がない。これらの要因によって、実施例のＩＧＢＴは製造しやすい。
【００２６】
以上、本実施例について詳細に説明したが、これらは例示にすぎず、特許請求の範囲を限定するものではない。特許請求の範囲に記載の技術には、以上に例示した具体例をさまざまに変形、変更したものが含まれる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００２７】
２：半導体基板
２ａ：表面
２ｂ：裏面
４：層間絶縁膜
４ａ：開孔
６：内側半導体領域（ｎ型）
８：ボディコンタクト領域（ｐ型）
１０：エミッタ領域（ｎ型）
１０ａ：トレンチゲート電極１８に対向する範囲
１０ｂ，１０ｃ：ボディコンタクト領域で分断されているエミッタ領域
１０ｄ，１０ｅ，１０ｆ，１０ｇ：ボディコンタクト領域で分断されているエミッタ領域
１２：ボディ領域(ベース領域)（ｐ型）
１４：トレンチ
１４ａ，１４ｂ，１４ｃ，１４ｄ，１４ｅ，１４ｆ：トレンチの部分
１６：ゲート絶縁膜
１８：トレンチゲート電極
２０：ドリフト領域（バルク領域）（ｎ型）
２２：コレクタ領域（ｐ型）
２４：エミッタ電極
２６：コレクタ電極
３０：ＩＧＢＴ
３２，３４，３６，３８：屈曲するトレンチの内側に位置する範囲
Ａ，Ｂ：正孔の移動経路
○印：屈曲するトレンチの内側の位置
【図１】
0005983864.tif 000002
【図２】
0005983864.tif 000003
【図３】
0005983864.tif 000004
【図４】
0005983864.tif 000005
【図５】
0005983864.tif 000006
【図６】
0005983864.tif 000007
【図７】
0005983864.tif 000008
【図８】
0005983864.tif 000009
【図９】
0005983864.tif 000010
【図１０】
0005983864.tif 000011
【図１１】
0005983864.tif 000012
【図１２】
0005983864.tif 000013
【図１３】
0005983864.tif 000014
【図１４】
0005983864.tif 000015